(57)【特許請求の範囲】
【請求項１】
身体側表面を形成する透液性トップシートと、外面側に位置する液不透過性シートとの間に吸収要素を介在させてなり、幅方向中央に沿って腹側の上縁から股間部を通り背側の上縁まで延在する吸収性本体部を有する使い捨ておむつにおいて、
前記トップシートは、所定の間隔で穿孔された透過孔を有しており、
前記トップシートと前記吸収要素との間に、前記トップシートの裏面に接する中間シートを備えており、
この中間シートは、基材シートに弾性部材を伸張状態で固定した後、弾性部材の収縮により基材シートを収縮させて表面に波状の皺を形成したものであり、
前記中間シートは、繊度２．０〜５．０ｄｔｅｘ、繊維目付け１０〜３０ｇ／ｍ2、厚み０．１〜４．０ｍｍの不織布を２枚貼り合わせるとともに、これら不織布間に、太さ１５０〜１２４０ｄｔｅｘの細長状弾性部材を１００〜３００％の伸張状態で、３〜１５ｍｍの間隔を空けて平行に複数本固定した後、弾性部材の収縮により不織布を収縮させて表面に弾性部材と交差する方向に沿う波状の皺を形成したものであり、且つこの皺の凹部の少なくとも一部が前記トップシートの透過孔の裏面側に位置している、
ことを特徴とする使い捨ておむつ。
【請求項２】
前記皺がおむつ幅方向に沿って形成されている、請求項１記載の使い捨ておむつ。
【発明の詳細な説明】
【技術分野】
【０００１】
本発明は、使い捨ておむつに関するものである。
【背景技術】
【０００２】
一般に、乳児の便は、生後３ヶ月程度で水様便から軟便に変わり、離乳食の始まりにより固形化していくものである。このため、乳児用の使い捨ておむつにおいては、水様便及び軟便（以下、水様便等ともいう）の吸収を考慮した様々な技術が提案されている（例えば特許文献１、２参照）。中でも、身体側表面を形成する透液性トップシートに便透過用の透過孔を穿孔する技術は、水様便等の吸収に有効であることが判っている。
【特許文献１】特開２００５−２４６８１１号公報
【特許文献２】特許２８１２３４０号公報
【発明の開示】
【発明が解決しようとする課題】
【０００３】
しかしながら、従来の使い捨ておむつでは、トップシートの裏面側に隙間が無いため水様便等が透過し難く、水様便等がトップシート表面で広がることにより、肌が広範囲に汚れてしまうといった問題点を有していた。特に、トップシートに透過孔を有する従来の使い捨ておむつでは、透過孔の裏面側に隙間が無いため、透過孔の機能を十分に生かしきれていなかった。
そこで、本発明の主たる課題は、水様便等の透過性を向上させ、もってトップシート表面における水様便等の拡散を防止し、肌の汚れを少なくすることにある。
【課題を解決するための手段】
【０００４】
上記問課題を解決した本発明は次記のとおりである。
＜請求項１記載の発明＞
身体側表面を形成する透液性トップシートと、外面側に位置する液不透過性シートとの間に吸収要素を介在させてなり、幅方向中央に沿って腹側の上縁から股間部を通り背側の上縁まで延在する吸収性本体部を有する使い捨ておむつにおいて、
前記トップシートは、所定の間隔で穿孔された透過孔を有しており、
前記トップシートと前記吸収要素との間に、前記トップシートの裏面に接する中間シートを備えており、
この中間シートは、基材シートに弾性部材を伸張状態で固定した後、弾性部材の収縮により基材シートを収縮させて表面に波状の皺を形成したものであり、
前記中間シートは、繊度２．０〜５．０ｄｔｅｘ、繊維目付け１０〜３０ｇ／ｍ2、厚み０．１〜４．０ｍｍの不織布を２枚貼り合わせるとともに、これら不織布間に、太さ１５０〜１２４０ｄｔｅｘの細長状弾性部材を１００〜３００％の伸張状態で、３〜１５ｍｍの間隔を空けて平行に複数本固定した後、弾性部材の収縮により不織布を収縮させて表面に弾性部材と交差する方向に沿う波状の皺を形成したものであり、且つこの皺の凹部の少なくとも一部が前記トップシートの透過孔の裏面側に位置している、
ことを特徴とする使い捨ておむつ。
【０００５】
（作用効果）
使い捨ておむつにおいては、トップシートを透過した排泄物を吸収体へ移動させ、逆戻りを防ぐために、トップシートと吸収要素との間に中間シート（セカンドシートもいわれる）を設けることは行われている。従来、この中間シートとしては、太い繊維を用いた嵩高な不織布が用いられており、トップシートを透過した水様便等はその広い繊維間隙を通じて吸収されていた。しかし、繊維間隙が広いといっても何も無い状態と比べれば塞がれているのに近い。
これに対して、本発明では、中間シートの表面に波状の皺が形成され、皺の凹部とトップシートとの間に線状に連続する空間が形成される。よって、トップシートを透過した水様便等は、この空間に受け入れられて広がるため、従来よりも水様便等の透過許容量が増加する。そしてその結果、トップシート表面において水様便等が広がり難くなり、肌の汚れも減少する。しかも、中間シートの皺は弾性部材の収縮力により形成されているため、一時的に外圧で皺が伸びても、外圧が開放されると強制的に元の状態まで復元し、トップシートとの間に上述の空間が確保される。よって、上記透過性向上効果が持続的に且つ確実に発揮される。
【０００６】
【０００７】
特に、トップシートの透過孔を透過した水様便等は、皺の凹部とトップシートとの間に線状に連続する空間に受け入れられて広がるため、透過孔の透過機能が十分に発揮されるようになる。なお、いうまでもないが、本発明の透過孔はトップシートの表裏に貫通する孔であり、窪み孔ではない。
【０００８】
【０００９】
また、このような構造の中間シートを用いるとともに、不織布を基材とすることにより、不織布自体の繊維間隙により、水様便等の固形分がろ過され、吸収要素には液分のみが到達し吸収されるため、吸収要素の吸収性能を損ねることもない。
【００１０】
＜請求項２記載の発明＞
前記皺がおむつ幅方向に沿って形成されている、請求項１記載の使い捨ておむつ。
【００１１】
（作用効果）
皺の方向がおむつ幅方向になっていると、水様便等が前後方向に拡散し難くなり、排尿器官等の便による汚れを効果的に防止できる。
【発明の効果】
【００１２】
以上のとおり、本発明によれば、水様便等の透過性が向上し、もってトップシート表面における水様便等の拡散が防止され、肌の汚れが少なくなる、等の利点がもたらされる。
【発明を実施するための最良の形態】
【００１３】
水様便や軟便の頃の乳児を対象とした使い捨ておむつとしては、いわゆるテープ式おむつが広く用いられているため、以下ではテープ式おむつの例を引いて説明するが、本発明はトップシートに特徴を有するものであり、パンツ型使い捨ておむつ等、他の形態の使い捨ておむつにも適用できることはいうまでもない。また、本発明は大人用使い捨ておむつにも当然適用できるものである。
図１及び図２は本発明に係るテープ式使い捨ておむつの一例を示している。図２は図１におけるＢ−Ｂ線矢視図である。このテープ式使い捨ておむつは、幅方向中央に沿って腹側Ｆの上縁Ｆ１から股間部Ｃを通り背側Ｂの上縁Ｂ１まで延在する、排泄物を吸収保持する吸収性本体部１０と、腹側Ｆの上縁Ｆ１側部分の両側において、それぞれ股間部Ｃよりも幅方向外側まで延在する一対の腹側サイドフラップ部ＦＦ，ＦＦと、背側Ｂの上縁Ｂ１側部分の両側において、それぞれ股間部Ｃよりも幅方向外側まで延在する一対の背側サイドフラップ部ＢＦ，ＢＦとを備えている。また、背側サイドフラップ部ＢＦ，ＢＦには、係止部材としてのファスニング片１３０がそれぞれ設けられている。
より詳細には、吸収性本体部１０ならびに背側および腹側の各サイドフラップ部ＢＦ，ＦＦの外面全体が外装シート１２により形成されている。特に、吸収性本体部１０においては、外装シート１２の内面側に液不透過性シート１１がホットメルト接着剤等の接着剤により固定され、さらにこの液不透過性シート１１の内面側に吸収要素５０、中間シート４０、およびトップシート３０がこの順に積層されている。トップシート３０および液不透過性シート１１は、図示例では腹側上縁Ｆ１から背側上縁Ｂ１まで延在する長方形であり、吸収要素５０よりも前後方向および幅方向において若干大きい寸法を有しており、液不透過性シート１１がトップシート３０よりも若干幅広に形成されている。トップシート３０における吸収要素５０の側縁より食み出る周縁部と、液不透過性シート１１における吸収要素５０の側縁より食み出る周縁部とがホットメルト接着剤などにより固着されるとともに、トップシート３０は、中間シート４０及び／又は吸収要素５０に固着されている。
さらに、この吸収性本体部１０の両側には、装着者の肌側に突出（起立）するバリヤーカフス６０，６０が設けられており、このバリヤーカフス６０，６０を形成するバリヤーシート６４，６４が、背側および腹側の各サイドフラップ部ＢＦ，ＦＦの内面を含め、吸収性本体部１０の幅方向外側の全体にわたり延在されている。
【００１４】
以下、各部の素材および特徴部分について順に説明する
（外装シート）
外装シート１２は吸収要素５０を支持し、着用者に装着するための部分である。外装シート１２は、両側部の前後方向中央部が括れた砂時計形状とされており、ここが着用者の脚を入れる部位となる。
外装シート１２としては不織布が好適であるが、これに限定されない。不織布の種類は特に限定されず、素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維を用いることができ、加工法としてはスパンレース法、スパンボンド法、サーマルボンド法、エアスルー法、ニードルパンチ法等を用いることができる。ただし、肌触り及び強度を両立できる点でＳＭＳ不織布やＳＭＭＳ不織布等の積層不織布が好適である。不織布は一枚で使用する他、複数枚重ねて使用することもできる。後者の場合、不織布１２相互をホットメルト接着剤等により接着するのが好ましい。
【００１５】
（トップシート）
トップシート３０は液透過性を有するものであれば足りるが、肌触り等の観点から不織布が好適に用いられる。トップシート３０に用いる不織布としては、その原料繊維が何であるかは、特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維、複合繊維などを例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法、エアスルー法、ポイントボンド法等を例示することができる。特に、原料繊維の繊度が１．０〜３．０ｄｔｅｘであり且つ繊維目付け１０〜３０ｇ／ｍ2であるエアスルー不織布や、スパンボンド不織布、ポイントボンド不織布、ＳＭＳ不織布が好適である。
また、トップシート３０は、１枚のシートからなるものであっても、２枚以上のシートを貼り合せて得た積層シートからなるものであってもよい。同様に、トップシート３０は、平面方向に関して、１枚のシートからなるものであっても、２枚以上のシートからなるものであってもよい。
【００１６】
（トップシートの透過孔）
トップシート３０には透過孔Ｈが形成される。透過孔Ｈの配置や形状、構造は特に限定されず、公知の形態を採用することもできるが、次のような形態が特に好適である。すなわち、トップシート３０は、背側における臀裂、臀部の頂部との対応関係を基準にすると、臀裂と対応する部分を通り前端Ｆ１から後端Ｂ１まで延在する幅方向中央領域３１と、幅方向中央領域３１の左側及び右側に位置し、それぞれ左側の臀部の頂部及び右側の臀部の頂部と対応する部分を通り前端Ｆ１から後端Ｂ１まで延在する左側中間領域及び右側中間領域３２，３２と、左側中間領域３２の左側及び右側中間領域３２の右側に沿ってそれぞれ前端Ｆ１から後端Ｂ１まで延在する左側領域及び右側領域３３，３３とを有する。さらに、図示形態では、左側領域の左側及び右側領域の右側に、トップシート３０を液不透過性シート１１に接合固定するための部分を含む側縁部領域３４，３４を有しており、左側及び右側領域３３は吸収要素５０上に位置する領域となっている。
具体的に乳幼児用のおむつにおいては、幅方向中央領域３１の幅は２０〜４０ｍｍ程度、左側中間領域及び右側中間領域３２の幅は１５〜２５ｍｍ程度、左側領域及び右側領域３３の幅は１０〜２０ｍｍ程度とするのが適当である。
そして特徴的には、図３にも示すように、トップシート３０における幅方向中央領域３１、左側及び右側領域３３のそれぞれに、全体にわたり水様便等の固形分を裏面側に透過させるための透過孔Ｈが所定の間隔で多数穿孔されるとともに、左側及び右側中間領域３２，３２には、全体にわたり透過孔Ｈが穿孔されていない。従って、これら透過孔Ｈの穿孔範囲及び非穿孔範囲の幅方向配置が、少なくとも臀裂、臀部の頂部及びその幅方向外側と対応する部分に適用されるよう、幅方向中央領域３１、左側及び右側領域３３の範囲は定められている。なお、臀裂、臀部の頂部及びその幅方向外側と対応する部分を含んでいれば、各領域３１〜３３の前後方向の一部のみがこのような穿孔範囲及び非穿孔範囲の幅方向配置を有していても良く、例えば背側Ｂのみにこのようなパターンを採用することも可能である。
また、左側及び右側領域３３，３３の幅が幅方向中央領域３１の幅より狭いと、装着者が横向きに寝転んだ際に臀部に接する、左側または右側領域３３の透過孔Ｈから逆戻りして臀部に付着する排泄物の量が少ないため好ましい。
透過孔Ｈの開口形状は、円形、楕円形、小判形、笹葉形、多角形等、適宜の形状とすることができるが、特に前後方向長さＨＬが４〜１５ｍｍ、特に６〜８ｍｍであり且つ幅方向長さＨＷが前後方向長さＨＬよりも短い細長形状（楕円形、小判形、笹葉形）であるのが好ましい。
透過孔Ｈの開口面積は適宜定めることができるが、０．８〜１８０ｍｍ2とするのが好ましく、５〜８０ｍｍ2とするのが特に好ましく、１０〜３０ｍｍ2とするのが最も好ましい。開口面積が小さすぎると固形分の取り込み性能が低下し、また大きすぎると透過孔Ｈを介して逆戻りし易くなる。
また、透過孔Ｈの数は適宜定めることができるが、図示のように透過孔Ｈの配置が、透過孔Ｈが前後方向に所定の間隔で並ぶ透過孔列が幅方向に所定の間隔で設けられた配置であって、且つ上述した透過孔Ｈの開口面積の場合、透過孔Ｈの列間の幅方向間隔ＤＷが１〜５ｍｍ、且つ列内の透過孔Ｈの前後方向間隔ＤＬが１〜１０ｍｍとなるように、各領域３１〜３３における数及び配置をそれぞれ定めるのが好ましい。透過孔Ｈの間隔が広すぎると固形分が捕獲されずに移動し易くなり、狭すぎると透過孔の数が多くなりすぎ、透過孔Ｈを介して逆戻りが発生しやすくなる。なお、透過孔Ｈの配置は、千鳥状配置（図示例）としたり、格子状（行列状）配置としたりできる他、他の規則的あるいは不規則な配置を採用することもできる。
透過孔Ｈは、幅方向中央領域３１に形成されるものと、左側及び右側領域３３，３３に形成されるものとが同じ形状、同じ寸法、同じ配置間隔であっても良いが、異ならしめることもできる。一つの好ましい形態として、図４に示すように、幅方向中央領域３１に形成された透過孔Ｈの開口の幅方向長さＨＷ１が４〜１０ｍｍであり、かつ左側及び右側領域３３，３３に形成された透過孔Ｈの開口の幅方向長さＨＷ２が、幅方向中央領域３１のそれよりも短く２〜７ｍｍであるものが提案される。このように、左側及び右側領域３３，３３に形成された透過孔Ｈの開口の幅方向長さＨＷ１が幅方向中央領域のものより短いと、装着者が横向きに寝転んだ際に臀部に接する透過孔の面積の合計が小さいため、透過孔Ｈから逆戻りして臀部に付着する排泄物の量が少ない、という利点がある。
また、別の好ましい形態としては、図５に示すように、幅方向中央領域３１に形成された透過孔Ｈの開口面積が５〜４０ｍｍ2であり、左側及び右側領域３３，３３に形成された透過孔Ｈの開口面積が幅方向中央領域３１のそれよりも大きく１０〜５０ｍｍ2であるものが提案される。これにより、左側領域及び右側領域３３，３３に到達した固形分比率の高い便を効果的に捕獲することができるようになる。
【００１７】
（トップシートの固定）
トップシート３０は、非穿孔範囲においてその裏面の部材と固着するのが望ましい。特に、便を捕獲する空間を広く形成するために、少なくとも穿孔領域の幅方向中央部においては、トップシート３０をその裏面の部材と固着しないのが好ましい。トップシート３０の固着は、超音波溶着、ヒートシール、ヒートエンボス等による溶着や、ホットメルト接着剤等の接着剤による接着によって行うことができるが、接着剤が透過孔Ｈから露出するのは好ましくないため、各透過孔群の幅方向両側縁を基準として幅方向に±１０ｍｍ以内、特に±５ｍｍ以内の範囲において、トップシート３０をその裏面側の部材に対して溶着するのが好ましい。
【００１８】
（トップシートの穿孔方法）
上記透過孔Ｈを有するトップシート３０は、透過孔形成部位を所定形状に打ち抜く方法や、複数の突起を備えた熱ローラーにより溶融しながら穿孔する方法（特表２００２−５１２９０９号）や、負圧をかけた開口コンベアにて吸引延伸熱処理により立体的なテーパーを形成しながら穿孔する方法（特許２８１２３４０号）や、透過孔形成位置に所定方向（前後方向や幅方向等）に沿うスリットを形成した後にシートをスリットと直交する方向に伸張させ、スリットを拡大させた状態で裏面側の部材（中間シート４０及び／又は吸収要素５０）に固着する方法（特開平１１−２５３４９０号）により製造することができる。これらの方法は、それぞれにメリットはあるが、次のようなデメリットもある。すなわち、打ち抜きによる方法は廃材が発生し、溶融穿孔する方法は開口周辺が固くなり、立体的なテーパーを形成する方法は厚み方向の押圧が加わった際に開口が潰れやすく、スリット後伸張する方法ではおむつが撓むと開口の伸張が弛緩して閉じやすくなる。本発明においては、透過孔形成位置に前後方向に沿うスリットを形成した後にシートを幅方向に伸張させ、スリットを拡大させた状態で裏面側の部材に固着する方法を、以下のように組合せるのが最も好ましく、これにより上記デメリットを解消しつつ優れた性能を発揮することが可能となる。
透過孔形成位置に前後方向に沿うスリットを形成した後にシートを幅方向に伸張させ、スリットを拡大させて開口を形成したシートは、特に開口とその周辺において、熱処理により溶融固化して硬化することがなく、繊維間隔が広げられることにより、柔らかくかつ液透過性に優れる。しかし、上述のようにトップシート３０の裏面側に便を保持する空間を広く確保するため、トップシート３０と裏面側の部材とをほぼ全幅において非固定とすると、おむつの撓みにより開口の伸張が弛緩して閉じやすくなる。逆に、シートのほぼ全面において固着すると、トップシート３０の裏面側に便を保持する空間が形成できない。そこで、幅方向に一定間隔をおいて固着する形態を取るのが好適である。本発明では、シートのほぼ全幅に穿孔領域を設けるのではなく、非穿孔範囲とした左右の中間領域を設けているため、逆戻りによる臀部への排泄物の付着が防止できるだけでなく、この左右の中間領域（及びトップシート３０の両側部）を利用してトップシート３０と裏面側の部材を固着することにより、透過孔Ｈの開口状態を維持しつつ、トップシート３０を強固に固定することが可能となる。この場合、トップシート３０の各透過孔群の幅方向両側縁の近傍の領域を固着することにより、透過孔Ｈの開口状態を安定して維持できるため好ましく、特にこの固着として前述したトップシート３０の固定のための溶着を利用するのが好ましい。
【００１９】
（バリヤーカフス）
トップシート３０上を伝わって横方向に移動する尿や軟便を阻止し、横漏れを防止するために、製品の両側に、使用面側に突出（起立）するバリヤーカフス６０、６０を設けるのは好ましい。
このバリヤーカフス６０は、実質的に幅方向に連続するバリヤーシート６４と、このバリヤーシート６４に前後方向に沿って伸張状態で固定された細長状弾性伸縮部材６２とにより構成されている。このバリヤーシート６４としては撥水性不織布を用いることができ、また弾性伸縮部材６２としては糸ゴム等を用いることができる。弾性伸縮部材６２は、図１及び図２に示すように各複数本設ける他、各１本設けることができる。
バリヤーシート６４の内面は、トップシート３０の側部上に幅方向の固着始端を有し、この固着始端から幅方向外側の部分は、液不透過性シート１１の側部およびその幅方向外側に位置する外装シート１２の側部にホットメルト接着剤などにより固着されている。この固着部分のうち固着始端近傍において、バリヤーシート６４と外装シート１２とが対向する部分のシート間に、前後方向に沿って糸ゴム等の弾性伸縮部材６６がそれぞれ設けられている。
脚周りにおいては、バリヤーカフス６０の固着始端より幅方向内側は、製品前後方向両端部ではトップシート３０上に固定されているものの、その間の部分は非固定の自由部分であり、この自由部分が糸ゴム６２の収縮力により起立するようになる。おむつの、装着時には、おむつが舟形に体に装着されるので、そして糸ゴム６２の収縮力が作用するので、糸ゴム６２の収縮力によりバリヤーカフス６０が起立して脚周りに密着する。その結果、脚周りからのいわゆる横漏れが防止される。
【００２０】
（吸収要素）
吸収要素５０は、尿や軟便などの液を吸収保持する部分である。吸収要素５０は、吸収体５６と、この吸収体５６の少なくとも裏面及び側面を包む包被シート５８とを有している。包被シート５８は省略することもできる。さらに、図示形態では、吸収体５６と包被シート５８の裏面側部位（下側の部分）との間に保持シート８０が設けられているが、この保持シート８０は省略することもできる。吸収要素５０は、その裏面においてホットメルト接着剤等の接着剤を介して液不透過性シート１１の内面に接着することができる。
【００２１】
（吸収体）
吸収体５６は、繊維５２，５２の集合体により形成することができる。この繊維集合体としては、綿状パルプや合成繊維等の短繊維を積繊したものの他、セルロースアセテート等の合成繊維のトウ（繊維束）を必要に応じて開繊して得られるフィラメント集合体も使用できる。繊維目付けとしては、綿状パルプや短繊維を積繊する場合は、例えば１００〜３００ｇ／ｍ2程度とすることができ、フィラメント集合体の場合は、例えば３０〜１２０ｇ／ｍ2程度とすることができる。合成繊維の場合の繊度は、例えば、１〜１６ｄｔｅｘ、好ましくは１〜１０ｄｔｅｘ、さらに好ましくは１〜５ｄｔｅｘである。フィラメント集合体の場合、フィラメントは、非捲縮繊維であってもよいが、捲縮繊維であるのが好ましい。捲縮繊維の捲縮度は、例えば、１インチ当たり５〜７５個、好ましくは１０〜５０個、さらに好ましくは１５〜５０個程度とすることができる。また、均一に捲縮した捲縮繊維を用いる場合が多い。
【００２２】
（高吸収性ポリマー粒子）
吸収体５６は、図２に示すように高吸収性ポリマー粒子５４，５４…を含むのが好ましく、特に、少なくとも液受け入れ領域において、繊維５２，５２…の集合体に対して高吸収性ポリマー粒子（ＳＡＰ粒子）が実質的に厚み方向全体に分散されているものが望ましい。
吸収体５６の上部、下部、及び中間部にＳＡＰ粒子が無い、あるいはあってもごく僅かである場合には、「厚み方向全体に分散されている」とは言えない。したがって、「厚み方向全体に分散されている」とは、繊維の集合体に対し、厚み方向全体に「均一に」分散されている形態のほか、上部、下部及び又は中間部に「偏在している」が、依然として上部、下部及び中間部の各部分に分散している形態も含まれる。また、一部のＳＡＰ粒子が繊維５２，５２…の集合体中に侵入しないでその表面に残存している形態や、一部のＳＡＰ粒子が繊維５２，５２…の集合体を通り抜けて包被シート５８上にある形態や、保持シート８０上にある形態も排除されるものではない。
高吸収性ポリマー粒子５４とは、「粒子」以外に「粉体」も含む。高吸収性ポリマー粒子５４の粒径は、この種の吸収性物品に使用されるものをそのまま使用でき、１０００μｍ以下、特に１５０〜４００μｍのものが望ましい。高吸収性ポリマー粒子５４の材料としては、特に限定無く用いることができるが、吸水量が４０ｇ／ｇ以上のものが好適である。高吸収性ポリマー粒子５４としては、でんぷん系、セルロース系や合成ポリマー系などのものがあり、でんぷん−アクリル酸（塩）グラフト共重合体、でんぷん−アクリロニトリル共重合体のケン化物、ナトリウムカルボキシメチルセルロースの架橋物やアクリル酸（塩）重合体などのものを用いることができる。高吸収性ポリマー粒子５４の形状としては、通常用いられる粉粒体状のものが好適であるが、他の形状のものも用いることができる。
高吸収性ポリマー粒子５４としては、吸水速度が４０秒以下のものが好適に用いられる。吸水速度が４０秒を超えると、吸収体５６内に供給された液が吸収体５６外に戻り出てしまう所謂逆戻りを発生し易くなる。
高吸収性ポリマー粒子５４の目付け量は、当該吸収体５６の用途で要求される吸収量に応じて適宜定めることができる。したがって一概には言えないが、５０〜３５０ｇ／ｍ2とすることができる。ポリマーの目付け量が５０ｇ／ｍ2未満では、吸収量を確保し難くなる。３５０ｇ／ｍ2を超えると、効果が飽和するばかりでなく、高吸収性ポリマー粒子５４の過剰によりジャリジャリした違和感を与えるようになる。
【００２３】
（包被シート）
包被シート５８を用いる場合、その素材としては、ティッシュペーパ、特にクレープ紙、不織布、ポリラミ不織布、小孔が開いたシート等を用いることができる。ただし、高吸収性ポリマー粒子が抜け出ないシートであるのが望ましい。クレープ紙に換えて不織布を使用する場合、親水性のＳＭＭＳ（スパンボンド／メルトブローン／メルトブローン／スパンボンド）不織布が特に好適であり、その材質はポリプロピレン、ポリエチレン／ポリプロピレンなどを使用できる。目付けは、５〜４０ｇ／ｍ2、特に１０〜３０ｇ／ｍ2のものが望ましい。
この包被シート５８は、図２のように、連続繊維５２，５２…の集合体及び高吸収性ポリマー粒子５４，５４…の層全体を包む形態のほか、その層の裏面及び側面のみを包被するものでもよい。また図示しないが、吸収体５６の上面及び側面のみをクレープ紙や不織布で覆い、下面をポリエチレンなどの液不透過性シートで覆う形態、吸収体５６の上面をクレープ紙や不織布で覆い、側面及び下面をポリエチレンなどの液不透過性シートで覆う形態などでもよい（これらの各素材が包被シートの構成要素となる）。必要ならば、連続繊維５２，５２…の集合体及び高吸収性ポリマー粒子５４，５４…の層を、上下２層のシートで挟む形態や下面のみに配置する形態でもよいが、高吸収性ポリマー粒子の移動を防止でき難いので望ましい形態ではない。
【００２４】
（保持シート）
繊維５２にフィラメント集合体を用いる場合は、保持シート８０を設けるのが好ましい。保持シート８０を設ける場合、保持シート８０と吸収体５６上との間には、高吸収性ポリマー粒子５４をその散布などにより介在させることができる。高吸収性ポリマー粒子５４は、フィラメント集合体への供給時又はその後の工程、あるいは消費者が使用するまでの流通過程で、フィラメント集合体を通り抜けることがある。フィラメント集合体を通り抜けた高吸収性ポリマー粒子群の凹凸は、消費者が使用する際に手で触ったときジャリジャリした違和感を与える。
この保持シート８０は、ティッシュペーパ（クレープ紙）などの包被シート５８のみでは足りないコシを補強すると共に、消費者が使用する際に手で触ったときのジャリジャリした違和感を軽減又は防止する役割を果たす。
保持シート８０の素材は、特に限定されず、高吸収性ポリマー５４の保持性能を有するものであれば足りる。具体的には、例えば、不織布、捲縮パルプ、低吸収性のコットン繊維（例えば、未脱脂のコットン繊維、脱脂されたコットン繊維、レーヨン繊維を撥水剤や疎水化剤で処理したものなど。）、ポリエチレン繊維、ポリエステル繊維、アクリル繊維、ポリプロピレン繊維、絹、綿、麻、ナイロン、ポリウレタン、アセテート繊維等を例示することができる。
保持シート８０としては、厚みが高吸収性ポリマー粒子の粒径よりも大きいものが好ましい。また、保持シート８０の目付けは１０〜６０ｇ／ｍ2、特に２０〜４０ｇ／ｍ2であるのが好ましい。
特に、保持シート８０は、ＫＥＳ試験に基づく圧縮エネルギーが０．０１〜１０．００ｇｆｃｍ／ｃｍ2、好ましくは、０．０１〜１．００ｇｆｃｍ／ｃｍ2で、かつ圧縮レジリエンスが１０〜１００％、好ましくは、７０〜１００％の不織布であるとよい。
また、抜け出た高吸収性ポリマー５４は、保持シート６０によって保持され、包被シート５８上を移動することがないため、吸収能力の偏在が生じ難くなる。特に、保持シート８０上を高吸収性ポリマー粒子５４が移動を防止するために、予め粘着性を有するホットメルト接着剤などを保持シート８０上に塗布することができる。また、保持シート８０の上面（使用面側に向かう面）を粗面とすることで、保持シート８０上を高吸収性ポリマー粒子５４が移動を防止するようにしてもよい。このための粗面化又は毛羽立ち手段としては、不織布の製造時におけるネット面でない非ネット面とする、マーブル加工を行う、ニードルパンチにより加工する、ブラシッング加工するなどを挙げることができる。
保持シート８０は、図２に示すように吸収体５６の下方にのみ設けても、また図示しないが、吸収体５６の側面を通り吸収体５６の上面にまで巻き上げて延在させてもよい。また、保持シート８０を複数枚重ねて使用することも可能である。
上記例は、吸収体５６と包被シート５８の裏面側部位との間に保持シート５８を設ける例であるが、保持シートは、包被シート５８より裏面側であってもよく（その形態は図示していない）、要は、吸収体５６に対して裏面側に保持シートを設ければ、製品の裏面から触る場合におけるジャリジャリした違和感を軽減させるあるいは生じさせないものとなる。
【００２５】
（ファスニング片）
ファスニング片１３０は、プラスチック、ポリラミ不織布、紙製などのファスニング基材１３０Ｃの基部がおむつに接合されており、その先端側部分に腹側に対する係止部として、メカニカルファスナーのフック要素１３０Ａが設けられている。フック要素１３０Ａはファスニング基材１３０Ｃに接着剤により剥離不能に接合されている。フック要素１３０Ａは、その外面側に多数の係合突起を有する。係合突起の形状としては、（Ａ）レ字状、（Ｂ）Ｊ字状、（Ｃ）マッシュルーム状、（Ｄ）Ｔ字状、（Ｅ）ダブルＪ字状（Ｊ字状のものを背合わせに結合した形状のもの）等が存在するが、いずれの形状であっても良い。フック要素１３０Ａに代えて、ファスニング片１３０の係止部として粘着材層を設けることもできる。
おむつの装着に際しては、背側サイドフラップ部ＢＦを腹側サイドフラップ部ＦＦの外側に重ねた状態で、ファスニング片を腹側Ｆ外面の適所に係止する。ファスニング片１３０の係止箇所の位置及び寸法は任意に定めることができる。通常の場合、係止箇所は、高さ２０〜８０ｍｍ、幅１５０〜３００ｍｍの矩形範囲とし、その上端縁と腹側上縁Ｆ１との高さ方向離間距離を０〜６０ｍｍ、特に２０〜５０ｍｍとし、かつ製品の幅方向中央とするのが好ましい。
腹側Ｆにおけるファスニング片１３０の係止箇所には、係止を容易にするためにターゲットテープ７４を設けるのが好ましい。ターゲットテープ７４は、係止部がフック要素１３０Ａの場合、フック要素の係合突起が絡まるようなループ糸が表面に多数設けられたものを用いることができ、また粘着材層の場合には粘着性に富むような表面が平滑なフィルム状のものを用いることができる。
また、腹側Ｆにおけるファスニング片１３０の係止箇所が不織布からなる場合、例えば図示形態の外装シート１２が不織布からなる場合であって、ファスニング片１３０の係止部がフック要素１３０Ａの場合には、ターゲットテープ７４を省略し、フック要素１３０Ａを外装シート１２の不織布に絡ませて係止することもできる。
【００２６】
（中間シート）
中間シート４０は、トップシート３０の裏面に接するように、トップシート３０と吸収要素５０との間に介在されるものであり、図６及び図７に示すように、基材シート４１，４１に弾性部材４２を伸張状態でホットメルト接着剤等により固定した後、弾性部材４２を収縮させて表面に波状の皺を形成したものである。
図示形態では、二枚の基材シート４１，４１をホットメルト接着剤等により貼り合わせるとともに、その間に弾性部材４２を挟んで固定しているが、基材シート４１を１枚とし、その表裏いずれかの面に弾性部材４２を固定することもできる。
基材シート４１としては、トップシート３０と同様の各種不織布を用いることができるが、特に嵩高で液の透過性に優れるエアスルー不織布が好ましい。なお、基材シート４１は、弾性部材４２との接着性が良好となるよう、平滑性の高い不織布を用いるのが好ましい。エアスルー不織布の場合は、毛羽立ち面（エアー面）及び平滑面を有するが、平滑面を弾性部材４２との接着面にすれば確実な接着が可能となる。また、プレスロール等で圧密して毛羽立ち面に平滑処理を施しても同様に確実な接着が可能である。本発明では、基材シート４１と弾性部材４２を組み合わせて波状の皺を形成するため、実質的に嵩高な中間シート４０を得る、または中間シート４０の嵩を自在に調整することが可能となる。また、基材シート４１自体の液の透過性が必ずしも優れていなくても、トップシート３０との間に広い空間を形成することができるため、水様便等の透過許容量は増大する。従って、基材シート４１には本来嵩高ではないスパンボンド不織布やポイントボンド不織布等、液の透過性の低いＳＭＳ不織布やメルトブローン不織布等も好適に使用することができる。これらの不織布は、熱エンボスロールにて圧密して製造するため、表裏とも平滑性が高く接着性に優れており、どちらの面を弾性部材４２との接着面にしても良く、また波状の皺を良好に形成できるという点で、好ましい。さらに、中間シート４０とトップシート３０とをヒートエンボスや超音波溶着を用いて接合する場合は、中間シート４０の素材はトップシート３０と同程度の融点をもつものが好ましい。また、便中の固形分を透過させることを考慮するならば中間シート４０に用いる繊維の繊度は５．０〜７．０ｄｔｅｘであるのが好ましいが、トップシート３０における液残りが多くなる。これに対して、中間シート４０に用いる繊維の繊度が１．０〜２．０ｄｔｅｘであると、トップシート３０の液残りは発生し難いが、便の固形分が透過し難くなる。よって、中間シート４０に用いる不織布の繊維は繊度が２．０〜５．０ｄｔｅｘ程度とするのが好ましい。
弾性部材４２としては、網状、シート状のものも用いることができるが、糸状、紐状、帯状等の細長状のものが液透過性の低下が少ないため好ましい。
不織布からなる基材シート４１，４１を二枚貼り合わせるとともに、両シート４１，４１間に細長状弾性部材を挟んで中間シート４０を形成する場合、各不織布として、繊度２．０〜５．０ｄｔｅｘ（特に３．０〜４．０ｄｔｅｘ）、繊維目付け１０〜３０ｇ／ｍ2、（特に１５〜２０ｇ／ｍ2）、厚み０．１〜４．０ｍｍ（特に０．５〜２．０ｍｍ）のものを用い、弾性部材４２として太さ１５０〜１２４０ｄｔｅｘ（特に４５０〜６００ｄｔｅｘ）の合成糸ゴムを用い、弾性部材４２を１００〜３００％（特に１５０〜２００％）の伸張状態で、３〜１５ｍｍ（特に５〜１０ｍｍ）の間隔Ｚを空けて平行に複数本固定した後、弾性部材４２を収縮させて表面に弾性部材４２と交差する方向に沿う波状の皺を形成するのが好ましい。このような中間シート４０においては、長く規則的な皺が形成され、トップシート３０との間に形成される空間がより長い距離連続するようになる。
皺の深さＹは１〜５ｍｍ程度であるのが好ましく、皺の頂点間距離Ｘは１〜１０ｍｍ程度であるのが好ましい。このような皺は基材シート４１の素材や厚み、弾性部材４２の伸張率を適宜調節することにより形成することができる。
皺の方向（弾性部材の伸張方向と直交する方向）は適宜定めることができ、皺がおむつ前後方向に沿って形成されていても良いが、皺がおむつ幅方向に沿って形成されていると、水様便等が前後方向に拡散し難くなり、排尿器官等の便による汚れを効果的に防止できるため好ましい。
中間シート４０は、表面の皺の全てがトップシート３０の透過孔Ｈの裏面側に位置している必要は無く、少なくとも一部がトップシート３０の透過孔Ｈの裏面側に位置していれば良い。中間シート４０の皺を有する部分の配置は適宜定めることができるが、肛門と対向する部分を含むように設けられているのが好ましい。具体的に乳幼児用のおむつの場合、おむつ前後方向中央を基準として前側に５０ｍｍの位置から後側に１６０ｍｍの位置までの前後方向範囲、及びおむつ幅方向中央を基準として左側に５０ｍｍの位置から右側に５０ｍｍの位置までの幅方向範囲を含むように、中間シート４０の皺を有する部分が設けられていると好ましい。
皺を有する部分は、中間シート４０の一部であっても、また全部であっても良い。中間シート４０における皺形成範囲は、弾性部材４２が伸張状態で固定される範囲を適宜変更したり、弾性部材４２を伸張状態で基材シート４１の全長に亘って固定した後に任意の方法により弾性部材４２を有する部分のうち非皺形成部分が弾性伸縮しないようにしたりすることにより変えることができる。特に、中間シート４０の一部に皺を有しない部分を設け、その前後に皺を有する部分を配置する場合には、特開２００２−０３５０２９や特開２００２−１７８４２８に記載の切断方法により、弾性部材４２を細かく切断して中間シート４０の一部が皺を有さないようにすれば良い。中間シート４０自体の製造及び製造した中間シート４０の固定を容易にするため、中間シート４０における弾性部材４２の伸張方向の両端部（図示形態では前後端部）には皺が形成されていないのが好ましい。
中間シート４０は、図１に示す形態では、吸収要素５０の幅より短く中央に配置されており、左側及び右側領域３３の透過孔群の裏面までは中間シート４０が延在していないが、これらの透過孔群の裏面までを覆うように例えば全幅にわたって設けてもよい。また、中間シート４０のおむつ前後方向長さは、図１に示すようにおむつの全長と同一であると製造が容易なため好ましいが、吸収要素５０の長さと同一でもよく、また、図８に示すように便を受け入れる領域を中心にした短い長さ範囲、例えばおむつの前後方向中央部から吸収体の後端部までの範囲としてもよい。
このような中間シート４０が介在されていると、前述したとおり、中間シート４０表面の皺の凹部とトップシート３０との間に線状に連続する空間４３が形成される。よって、トップシート３０の透過孔Ｈを透過した水様便等は、この空間４３に受け入れられて広がるようになり、トップシート３０表面において水様便等が広がり難くなり、肌の汚れも減少する。しかも、中間シート４０の皺は弾性部材４２の収縮力により形成されているため、一時的に外圧で皺が伸びても、外圧が開放されると強制的に元の状態まで復元し、トップシート３０との間に上述の空間４３が確保される。
【００２７】
【産業上の利用可能性】
【００２８】
本発明は、使い捨ておむつに適用されるものである。
【図面の簡単な説明】
【００２９】
【図１】テープ式使い捨ておむつの展開状態平面図である。
【図２】図１のＢ−Ｂ線断面図である。
【図３】図１の要部拡大平面図である。
【図４】別の透過孔例を示す要部拡大平面図である。
【図５】また別の透過孔例を示す要部拡大平面図である。
【図６】中間シートの平面図である。
【図７】トップシート及び中間シート部分の拡大断面図である。
【図８】別のテープ式使い捨ておむつの展開状態平面図である。
【符号の説明】
【００３０】
１０…吸収性本体部、１１…液不透過性シート、１２…外装シート、３０…トップシート、３１…幅方向中央領域、３２…左側中間領域、右側中間領域、３３…左側領域、右側領域、３４…側縁部領域、４０…中間シート、４１…基材シート、４２…弾性部材、４３…空間、５０…吸収要素、５２…繊維、５４…高吸収性ポリマー粒子、５６…吸収体、５８…包被シート、６０…バリヤーカフス、６４…バリヤーシート、８０…保持シート、Ｈ…透過孔。
【図１】
0005148200.tif 000002
【図２】
0005148200.tif 000003
【図３】
0005148200.tif 000004
【図４】
0005148200.tif 000005
【図５】
0005148200.tif 000006
【図６】
0005148200.tif 000007
【図７】
0005148200.tif 000008
【図８】
0005148200.tif 000009